(57)【要約】垂直中心軸線(Z-Z)を有するスポットライトであって、・光源(L)を担持する底端部間に延在し、これら端部を通過する中心軸線を有するハウジング(210;110)と、・変位可能な可動フレーム(130;230;330;430)と、・垂直中心軸線(Z-Z)に平行に延在してハウジングを支持する支持アーム(120;220)であって、該支持アームの底端部をハウジングの頂端部に回転可能に連結し、ハウジングが垂直軸線(Z-Z)に直交する縦方向回転軸線(S-S)周りに支持アーム(120;220)に対して回転するのを可能にし、ハウジング中心軸線がスポットライトの垂直中心軸線(Z-Z)に一致するよう配置される未回転位置と、ハウジングが垂直中心軸線(Z-Z)に対して少なくとも９０°の角度で配置される完全回転位置との間においてハウジングが回転できるようにし、ハウジングの縦方向回転軸線(S-S)は、垂直中心軸線(Z-Z)に対して支持アーム(120;220)側とは反対側に横方向にオフセットした位置に配置されている、該支持アーム(120;220)と、・ハウジング内部に配置されて、ハウジングを縦方向軸線(S-S)周りに回転作動させる手段と、・支持アーム(120;220)を可動フレームに対して垂直中心軸線(Z-Z)に平行な軸線の周りに回転作動させる手段(160;260)と、を備える、スポットライト。【選択図】図１
2021517728.tif 000002
【特許請求の範囲】
【請求項１】
垂直中心軸線（Z-Z）を有するスポットライトにおいて、
・光源（L）を担持する底端部とこれとは反対側の頂端部との間に延在し、またこれら端部を通過する中心軸線を有するハウジング（210;110）と、
・変位可能な可動フレーム（130;230;330;430）と、
・前記垂直中心軸線（Z-Z）に平行に延在して前記ハウジングを支持する支持アーム（120;220）であり、該支持アームの頂端部を前記可動フレーム（130;230;330;430）に連結し、また該支持アームの底端部を前記ハウジング（210;110）の前記頂端部に回転可能に連結し、前記ハウジングが前記垂直軸線（Z-Z）に直交する縦方向回転軸線（S-S）周りに前記支持アーム（120;220）に対して回転するのを可能にし、前記ハウジング中心軸線が前記スポットライトの垂直中心軸線（Z-Z）に一致するよう前記ハウジングが配置される未回転位置と、ハウジングが垂直中心軸線（Z-Z）に対して少なくとも９０°の角度で配置される完全回転位置との間において前記ハウジングが回転できるようにした、該支持アーム（120;220）であって、
前記支持アーム（120;220）は垂直方向の本体（120a）を有し、前記本体は、その軸線が前記垂直中心軸線（Z-Z）及びこの垂直中心軸線（Z-Z）に対する縦方向回転軸線（S-S）に対して直交する横方向にオフセットした位置で延在し、前記支持アームの前記底端部がギアホイール（121）を担持し、前記ギアホイールの軸線が前記ハウジングの前記縦方向回転軸線（S-S）に一致し、
前記ハウジングの前記縦方向回転軸線（S-S）は、前記垂直中心軸線（Z-Z）に対して前記支持アーム（120;220）側とは反対側に横方向にオフセットした位置に配置されている、
該支持アーム(120;220)と、
・前記ハウジング内部に配置されて、前記ハウジングを前記縦方向軸線（S-S）周りに回転作動させる手段であって、前記ギアホイール（121）に噛合するピニオン（111a;211a）とともに回転するシャフト（111;211）を有する、該手段と、
・前記支持アーム（120;220）を前記可動フレームに対して垂直中心軸線（Z-Z）に平行な軸線の周りに回転作動させる手段（160;260）と、
を備える、スポットライト。
【請求項２】
請求項１記載のスポットライトにおいて、前記支持アームの垂直な本体（120a）は、前記横方向（Y-Y）に突出し、かつ互いに平行で前記縦方向（X-X）に離間する２つのフランジ（122, 123）を有し、前記各フランジには、前記ギアホイール（121）を前記（122, 121）に連結し、かつ前記ハウジング（110）の前記支持アーム（120）に対する前記縦方向回転軸線（S-S）を形成するピン（121a）の挿入を可能にするよう設計した対応する貫通孔（122a, 123a）が設けられることを特徴とする、スポットライト。
【請求項３】
請求項１又は２記載のスポットライトにおいて、前記ハウジングを回転作動させる前記手段は、前記ハウジング（110）に一体であり、かつ前記ギアホイールに噛合するピニオン（111a）を有する前記シャフトを駆動するモータ（112）を含み、前記モータの前記シャフトは前記垂直軸線に対して平行に又は角度をなして指向する、スポットライト。
【請求項４】
請求項３記載のスポットライトにおいて、一対の平行フランジ（113b）によって前記縦方向回転軸線（S-S）にヒンジ連結されるプレート（113）を前記ハウジング内に固定し、前記プレート（113）には、前記モータ（112）の前記シャフト（111）を挿入して前記プレート（113）を軸方向に拘束するようにした貫通孔（113a）が設けられることを特徴とする、スポットライト。
【請求項５】
請求項１〜４のうちいずれか１項記載のスポットライトにおいて、前記支持アームを回転作動させる前記手段（160;260）は、前記支持アーム（120）の前記本体（120a）の内部に挿入しかつ前記本体（120a）に固定した垂直軸付きのモータ（161）を備えることを特徴とする、スポットライト。
【請求項６】
請求項１〜５のうちいずれか１項記載のスポットライトにおいて、前記支持アームを前記フレームに対して回転作動させる前記手段は、前記スポットライトの垂直中心軸線（Z-Z）周りに前記支持アームを回転させるよう構成されることを特徴とする、スポットライト。
【請求項７】
請求項５又は６項記載のスポットライトにおいて、前記支持アームを回転作動させる前記手段の垂直シャフト（161a）は、前記シャフトとともに回転するよう前記シャフトに備え付けられる歯車（162）を有し、前記歯車（162）は、前記可動フレーム（130）の環状内歯（131）に噛合する外歯（162ｂ）を有し、前記歯車の外歯は、前記可動フレームの環状内歯（131）の直径よりも小さい外径を有することを特徴とする、スポットライト。
【請求項８】
請求項１〜４のうちいずれか１項又は請求項６記載のスポットライトにおいて、前記支持アームを前記フレームに対して回転作動させる手段は、前記可動フレームに備え付けられる垂直軸付きのギアモータ（260）を含み、前記ギアモータの出力部材は、前記中心軸線（Z-Z）に対応する垂直軸線を有し、また前記支持アーム（220）の頂端部と一体に変位及び回転の双方を可能にするスリーブ（252）に互いに結合しされることを特徴とする、スポットライト。
【請求項９】
請求項１〜８のうちいずれか１項記載のスポットライトにおいて、前記可動フレーム（330）は、固定トラック内で垂直方向に対して直交する方向（X-X）に変位するよう設計されたトラック付きアダプターの形態であることを特徴とする、スポットライト。
【請求項１０】
請求項９記載のスポットライトにおいて、前記トラック付きアダプターは、前記スポットライトに給電し及び制御するためのドライバを備えることを特徴とする、スポットライト。
【請求項１１】
請求項２〜９記載のスポットライトにおいて、前記スポットライトの前記垂直中心軸線（Z-Z）に一致する縦方向軸線を有して、天井に窪んで取り付けるための好適には円筒形の容器を備え、前記可動フレーム、前記支持アーム及び前記ハウジングを窪んだ形態のスポットライトとなるよう前記容器内に配置されることを特徴とする、スポットライト。
【請求項１２】
請求項１１記載のスポットライトにおいて、前記可動フレームは、横方向軸線を有する中空スリーブ（13５a）付きの垂直フランジ（135）と、及び前記フレーム（130）に配置し、また前記フレームと一体に変位可能にしたモータ（171）を備え、前記モータの軸（171a）は、前記横方向（Y-Y）に平行に延在し、また前記スリーブ（135a）内に挿入して前記フレーム（130）の外部に横方向に突出させ、前記モータの軸（171a）にピニオン（172）を固定し、前記垂直方向（Z-Z）に平行に延在し、かつ前記容器（140）の内面に固定したラック（180）の歯（181）に前記ピニオン（172）を噛合させることを特徴とする、スポットライト。
【請求項１３】
請求項１０〜１２のうちいずれか１項記載のスポットライトにおいて、案内バー（182）を前記容器（140）に固定し、前記案内バー（182）は、前記可動フレームに一体の直立部（134）の垂直軸孔（134a）内に挿入して、前記フレーム（130）の垂直方向変位のための案内素子を形成する、スポットライト。
【請求項１４】
請求項１〜１３のうちいずれか１項記載のスポットライトにおいて、前記可動フレームは環状フェルール（130）又はプレートの形態である、スポットライト。
【請求項１５】
請求項１〜１４のうちいずれか１項記載のスポットライトにおいて、前記ギアホイール（121）内に、及び／又は前記支持アームを前記垂直軸線の周りに回転作動させる手段と前記可動フレーム又は前記支持アーム自体との間に、及び／又は前記可動フレームを変位作動させる手段と前記容器との間に同軸状に挿入される摺動摩擦手段を備える、ことを特徴とする、スポットライト。
【発明の詳細な説明】
【技術分野】
【０００１】
本発明は電動化スポットライトに関する。
【背景技術】
【０００２】
天井に窪ませて備え付け、電動化し、また遠隔制御によって制御することができるスポットライトであって、引っ込んだ位置と、窪ませた容器から引き出した位置との間で垂直方向に移動可能である種々のタイプのスポットライトが存在する。
【０００３】
このような既知のスポットライトの例は、例えば、特許文献１（独国実用新案第202013 105693号）及び特許文献２（米国公開特許公報第２０１１／００２１３２号）に記載されている。
【０００４】
さらに、天井備付け案内に沿って変位可能な種々のタイプのスポットライトが存在し、これらも電動化され、遠隔制御により制御することができる。
【０００５】
このようなスポットライトは、周囲環境及び／又は照明条件の頻繁な変更が光ビームの向きを適合させることが必要になる、商業用展示施設、ミュージアム又は病院にとくに有用である。
【先行技術文献】
【特許文献】
【０００６】
【特許文献１】独国実用新案第202013 105693号明細書
【特許文献２】米国公開特許公報第２０１１／００２１３２号明細書
【発明の概要】
【発明が解決しようとする課題】
【０００７】
本発明が解決しようとする技術的問題は、天井に固定すべきスポットライトを設け、また光ビームの指向性に関して幅広い多様性を可能にできるかである。
【０００８】
この問題に関連し、このデバイスは、小さい寸法を有し、生産及び組立てが容易かつ安価であり、また通常の標準接続手段を用いていかなるユーザー場所においても簡単に設置できることが望ましい。
【課題を解決するための手段】
【０００９】
これら結果は、特許請求の範囲の請求項１の特徴による本発明スポットライトによって得られる。
【００１０】
更なる詳細は、添付図面を参照する本発明要旨の実施形態における非限定的実施例の以下の説明から得ることができる。
【図面の簡単な説明】
【００１１】
【図１】本発明による天井スポットライトにおける第１実施形態の垂直断面斜視図を示す。
【図２Ａ】図１によるスポットライトのランプが回転していない形態における垂直断面側面図を示す。
【図２Ｂ】図１によるスポットライトのランプが水平軸線の周りに９０°回転した形態における斜視図を示す。
【図３】図１によるスポットライトの支持アーム及びハウジングを回転作動させる手段の分解斜視図を示す。
【図４Ａ】図４によるアームの組み立てた状態における側面図を示す。
【図４Ｂ】図４によるアームの組み立てた状態における斜視図を示す。
【図５】図１によるスポットライトの外側構体がない状態での細部の部分的分解斜視図を示す。
【図６】本発明によるスポットライトの第２実施形態における部分的に組み立てた状態の斜視図を示す。
【図７】図６によるスポットライトの組み立てた状態の垂直断面斜視図を示す。
【図８】図６によるスポットライトの細部の斜視図を示す。
【図９】図６によるスポットライトの支持アームと可動フレームとの間における分解した状態での細部の斜視図を示す。
【図１０】本発明によるスポットライトの第３実施形態における部分的分解斜視図を示す。
【図１１】図１０によるスポットライトの垂直断面斜視図を示す。
【図１２】図１０によるスポットライトの支持アーム細部の斜視図を示す。
【図１３】図１０によるスポットライトの支持アームと可動フレームとの間における連結部の細部の垂直断面図を示す。
【図１４Ａ】本発明によるスポットライトの第４実施形態における垂直断面図を示す。
【図１４Ｂ】図１４Ａによるスポットライトの９０°回転した形態における垂直断面図を示す。
【図１５】図１４によるスポットライトの支持アームと可動フレームとの間における連結部の細部の垂直断面図を示す。
【図１６】図１４によるスポットライトの支持アームの部分的に分解した斜視図を示す。
【発明を実施するための形態】
【００１２】
より分かり易くするため、それ自体普通である細部、例えば、電気配線及び天井固定素子は図面から省いてある。
【００１３】
図１につき説明すると、本発明によるスポットライトの第１実施形態１００は、ハウジング１１０の遊端部に挿入される光源Ｌを備え、この遊端部とは反対側端部には支持アーム１２０を連結し、この支持アーム１２０は円筒形容器１４０内に収容される可動フレーム１３０に備え付け、この円筒形容器１４０は天井に固定することができる。図１に示す非回転形態につき説明すると、説明を容易にしかつ限定的な意味を持たない３つの基準軸線を仮定する、すなわち、ハウジング１１０の長手方向延在範囲における中心軸線、非回転形態における光源Ｌが放射する光ビームＬ１の伝播軸線に対応する垂直方向Ｚ-Ｚ（図１の場合では円筒形ハウジング１４０の高さ方向）と、該先の方向に直交し、ハウジング１１０の支持アーム１２０に対する回転軸線に平行な縦方向Ｘ-Ｘと、及び先の２つの方向に直交するスポットライトの幅方向であって、図１、２による支持アーム１２０の位置でハウジングが支持アーム１２０に対して９０°回転した形態（図２ｂ）においてハウジング１１０の中心軸線及び光源Ｌが放射するビームに対応する横方向Ｙ-Ｙと、を仮定する。
【００１４】
さらにまた、垂直方向Ｚ-Ｚにおける、ハウジング１１０及び光源Ｌを有する端部に対応する底部部分と及びこの底部部分とは反対側の頂部部分とを仮定する。
【００１５】
本発明による電動式スポットライト１００の第１実施形態は垂直の支持アーム１２０を備え、この支持アーム１２０は、垂直中心軸線Ｚ-Ｚに対して横方向にオフセットした位置で延在し、支持アーム１２０の底端部には、軸線Ｚ-Ｚに直交する縦方向軸線Ｓ-Ｓを有するギアホイール１２１を担持する。
【００１６】
図示のように、縦方向Ｓ-Ｓは、垂直中心軸線に対して支持アーム１２０側とは反対側に横方向にオフセットした位置である。
【００１７】
ギアホイール１２１は円筒形ハウジング１１０に一体化したモータ１１２１のシャフト１１１によって作動するピニオン１１１ａに噛合することができ、これによりモータ１１１ａのシャフト作動がハウジング１１０の垂直アーム１２０に対する縦方向回転軸線Ｓ-Ｓの周りに回転させる。
【００１８】
図２Ａ、２Ｂに示すように、円筒形ハウジング１１０は、モータ１１２の作動の際に縦方向軸線Ｓ-Ｓの周りに、ハウジングの軸線が垂直軸線Ｚ-Ｚに平行かつ一致するよう配置される垂直／非回転位置と、支持アーム１２０とは反対側の方向に９０°全体にわたり完全回転した位置との間で回転するよう設計する。
【００１９】
支持アーム１２０の軸線方向オフセット配置に起因して、スポットライトの垂直方向及び横方向の延在範囲をコンパクトにすることができ、このことは、窪んだスポットライトにとって容器１４０の寸法をも減少できて特に有利である。
【００２０】
図１につき説明すると、ハウジング１１０は、好適には、ほぼ円筒形の形態を有し、また光源Ｌを収容して光源が放射する光ビームをハウジングの外側に伝播できるようにする底部の第１隔室１１０ａと、ハウジング１１０を回転作動させるモータを収容するほぼ中間の第２隔室１１０ｂとを有する。
【００２１】
頂部の第３隔室１１０ｃは、支持アーム１２０に向いて開放しており、一対の平行垂直フランジ１１３ｂによって回転軸線Ｓ-Ｓの位置にヒンジ連結したプレート１１３（図３参照）を収納し、各フランジ１１３ｂは、垂直方向に直交する貫通孔１１４ａを有し、また貫通孔１１４ａは、以下にさらに説明するように、アーム１２０から突出するフランジの貫通孔１２２ａ、１２３ａに同軸状となるよう配列する。プレート１１３には、さらに、モータ１１２のシャフト１１１を挿入できる垂直方向軸線を有する貫通孔１１３ａを設け、したがって、ピニオン１１１ａを組み付けた後にはモータ１１２はプレート１１３に対して軸方向への移動を拘束される。
【００２２】
プレート１１３は、例えば、ねじ１１３ｃによってハウジング１１０に固定される。
【００２３】
図３及び４につき説明すると、支持アーム１２０の好適な実施例は、垂直方向の本体１２０ａを有し、この本体は、垂直方向の底端部において、横方向Ｙ-Ｙに突出し、かつ縦方向Ｘ-Ｘに平行に離間する２個のフランジ１２２、１２３を有し、各フランジには、それぞれ貫通孔１２２ａ、１２３ａを設け、これら貫通孔２２ａ、１２３ａは、ギアホイール１２１をフランジ１２２、１２３に、及びひいては支持アーム１２０に連結するピン１２１ａを挿入できるよう設計し、これにより、ギアホイール１２１は、フランジ１２２、１２３に、及びひいては支持アーム１２０に安定的に結合されることになる。
【００２４】
ピン（又はねじ）１２１ａは、ボルト又はナット１２１ｂのような雌ねじ山付き手段によって固定することができる。有利には、摺動摩擦手段１２５をギアホイール１２１の内部に同軸状に挿入して、ハウジング１２０の手動移動がハウジング１２０を回転作動させるモータ１１２を損傷することがないようにする。好適には、摩擦手段１２５は、ピン１２１ａに同軸状に備え付けるばね又は複数のばねワッシャーを有し、このような摺動摩擦手段１２５は、ピン１２１ａを固定するための雌ねじ山付き素子１２１ｂによって調整可能であり、これによりばね又はワッシャー１２５を締め付けてギアホイールをフランジ１２２１に押圧し、アーム１２０に強固に固定できるようにする。
【００２５】
スポットライトを組み付けた後、支持アーム１２０に対するハウジングの回転軸線を画定するピン１２１ａは、アームにおけるフランジ１２２、１２３及びハウジング１１０のプレート１１３におけるフランジ双方に挿通し、これにより支持アーム１２０及びハウジング１１０をともに回転可能に連結する。
【００２６】
スポットライトは、さらに、支持アーム１２０及び可動フレーム１３０をともに連結する手段１５０（図３及び５参照）を備える。
【００２７】
第１実施形態において、この連結手段は、横方向-縦方向平面Ｘ-Ｙに指向し、支持アーム１２０の頂端部に固定してこのアームの外側に向かって突出する外側環状端縁１５１ａを画定するような直径を有するプレート１５１と、アーム１２０の本体１２０ａの外側で垂直方向の環状端縁１５１ａと垂直方向に係合するような内径を有するリング１５２と、及びフレーム１３０にリング１５２を固定する手段であって、例えば、リング１５１内に、可動フレーム１３０における孔又はスリーブ１３２ｂに対応する垂直軸孔１５２ｂを有し、可動フレーム１３０及びリング１５２をともに垂直方向Ｚ-Ｚに固定するねじ又はピンを固定する手段と、を有する。
【００２８】
図３及び５につき説明すると、スポットライト１００は、さらに、支持アーム１２０を可動フレーム１３０に対して垂直軸線周りに回転作動させる手段１６０を備える。
【００２９】
図示の実施形態において、作動手段は、支持アーム１２０の本体１２０ａ内に挿入かつ固定され、そのシャフト１６１ａが本体１２０の頂端部及びプレート１５１を越えて垂直方向に突出する（図５参照）垂直軸モータ１６１を有する。好適には、摺動摩擦手段１６２ａを有する同軸状支持体によって歯車１６２をシャフト１６１ａに対して備え付ける。この歯車１６２は、モータのシャフト１６１ａとともに回転するよう設計し、またともに組み付けた後にはフレーム１３０における環状の内歯１３１に噛合するよう設計された外歯１６２ａを有する。歯車１６２（図３、４参照）は、環状歯１３１の内径よりも小さい外径を有し、詳細には説明しない固定手段１６３を介してモータ１６１のシャフト及び支持アーム１２０に固定することができる。
【００３０】
モータ１６１が動作するとき、シャフト１６１ａの回転は歯車１６２を回転させ、フレーム１３０の歯１３１に噛合するこの歯車１６２は、アーム１２０をフレーム１３０に対して中心垂直軸線Ｚ-Ｚの周りに回転作動させ、歯車１６２及び内歯１３１の異なる直径がハウジング１１０を垂直中心軸線に対して常に中心に維持することができる。
【００３１】
アーム１２０及び回転作動手段の軸方向オフセット位置により制限された空間内でランプＬを垂直軸線Ｚ-Ｚの周りに３６０°にわたり簡単かつ精密に指向させることができる。
【００３２】
有利には、この実施形態（図３参照）において、モータの回転軸１６１ａは軸線に関して垂直中心軸線Ｚ-Ｚに対して横方向にオフセットしているが、アーム及びハウジングは垂直中心軸線の周りに回転し、したがって、軸方向にオフセットされる支持アーム１２０を容器１４０内部でハウジング１１０の外径よりも僅かにだけ大きい空間において自由に回転することを可能にする。
【００３３】
第１実施形態において、可動フレームは、その内側環状端縁に歯１３１を有する環状フェルールの形態である。
可動フレーム１３０は、さらに、半径方向外方位置に、垂直軸線を有する貫通孔１３４ａ付きの直立部１３４及び／又は横方向軸線を有する中空スリーブ１３５ａ付きの垂直フランジ１３５を有する。
【００３４】
さらに、ハウジング１１０及び支持アーム１２０を容器１４０の内／外に引込み／引出しをさせるよう、垂直軸線Ｚ-Ｚに沿って双方向に可動フレーム１３０を、容器１４０の中心垂直軸線Ｚ-Ｚに対して同軸状に変位作動させる手段１７０を設けることも考えられる。
【００３５】
この実施例において、フレーム１３０を垂直移動させる手段１７０は、フレーム１３０に配置してこのフレームと一体に変位可能にしたモータ１７１を有し、モータのシャフト１７１ａは、横方向Ｙ-Ｙに平行に延在し、またフレーム１３０外部に横方向に突出するようスリーブ１３５ａ内に挿通させる。このシャフト１７１ａには、好適には、摩擦手段１７３を介してピニオン１７２を固定する。
【００３６】
ピニオン１７２は、垂直方向Ｚ-Ｚに平行に延在しかつ容器１４０の内面に固定したラック１８０の歯１８１に噛合する。この垂直方向変位手段の構成に起因して、スポットライトの横方向／半径方向寸法を小さくでき、これはすなわち、ピニオン１７２が可動フレーム１３０から単に横方向に突出するだけで済むからである。
【００３７】
好適には、案内バー１８２を容器１４０に固定し、またこの案内バー１８２はフレーム１３０の垂直方向変位を案内する素子を形成するよう直立部１３４の垂直孔１３４ａに挿通する。
【００３８】
この構成により、ピニオン１７２の回転作動は、バー１８２によって案内されるフレーム１３０の垂直方向変位を生ぜしめ、支持アーム１２０／ハウジング１１０の組立体を、図１に示す非回転及び完全引出し位置から、ハウジング及びアームが円筒形容器１４０内に包囲される垂直方向Ｚ-Ｚに完全に引っ込んだ形態に移動させることを可能にする。
【００３９】
図６〜９につき説明すると、本発明によるスポットライトの第２実施形態２００は光源Ｌのためのハウジング２１０を備え、このハウジング２１０は、ハウジングが非回転形態にあるとき（図６、７参照）、ハウジングの垂直中心軸線Ｚ-Ｚに対して軸線に関して横方向にオフセットされた支持アーム２２０に備え付ける。支持アーム２２０は、垂直方向Ｚ-Ｚに移動可能なフレーム２３０に対して一体変位するよう連結する。図６〜９において対応する部分は、上述した実施形態において使用された同一参照符号及び／又は文字で示す。
【００４０】
図示のように、アーム２２０の底端部は、軸線Ｚ-Ｚに直交する縦方向軸線Ｓ-Ｓを有するギアホイール１２１を担持し、またギアホイール１２１は、この円筒形ハウジング２１０に固定したモータ１１２のシャフト２１１によって作動するピニオン２１１ａに噛合するよう設計され、ハウジング２１０を垂直アーム２２０に対して縦方向回転軸線Ｓ-Ｓの周りに回転させるようにする。上述したのと同様に、ギアホイール１２１は突出フランジ１２２、１２３に備え付けることができる。
【００４１】
シリンダ２１０内の上側隔室２１０ｃは、支持アーム２２０に向いて開放しており、またハウジング２１０に固定され、また貫通孔２１３ａ（図８参照）を有して上方に突出するタング２１３ｂが設けられたプレート２１３を収納し、この貫通孔２１３ａは、モータ２１２のシャフト２１１を挿通できるよう設計し、このようにして、シャフト２１１は、ピニオン２１１ａと組み合わさった後にはプレート２１３に軸方向に拘束される。
【００４２】
図示のように、モータ２１２は、好適には、垂直軸線及び横方向-縦方向平面Ｙ-Ｘに対して傾斜させて配置し、これによりモータ軸線がそれら双方に対して角度をなすようにし、このことが横方向及び垂直方向の双方でハウジングが占める空間を制限するとともに、スポットライトをコンパクトにするのに役立てることを可能にする。
【００４３】
プレート２１３は、ハウジング１１０に固定される横方向-縦方向表面と、一対の互いに平行なフランジ２１４を有し、これらフランジ２１４の各々は貫通孔２１４ａを有し、この貫通孔２１４ａはフランジ１２２、１２３の貫通孔１２２ａ、１２３ａと同軸状となるよう配置され、スポットライトが組み付けられたとき、支持アーム１２０に対するハウジング２１０の回転軸線を形成するピン１２１ａをアームのフランジ１２２、１２３及びハウジング２１０のフランジ２１４双方に挿通し、アーム及びハウジングがともにヒンジ連結されるようにする。ピン（又はねじ）１２１ａは、ボルト又はナット１２１ｂのような雌ねじ山付き手段によってフランジに固定することができ、また上述したのと同様に、摺動摩擦手段１２５をギアホイール１２１の内部に同軸状に挿入することができる。支持アーム２２０及び可動フレーム２３０をともに連結する手段２５０は、横方向-縦方向平面Ｘ-Ｙに指向し、補完的な固定手段２５１ｂによってアーム２２０の頂端部に固定され、また中心垂直軸線Ｚ-Ｚに対応する位置に垂直軸孔２５１ａを有するプレート２５１を備える。中心軸線Ｚ-Ｚにも対応する垂直軸スリーブ２５２を孔２５１ａ内に挿通する。スリーブの頂端部は外側ねじ山２５２ａを有し、また底端部は孔２５１ａの直径より大きい外径により半径方向に突出する環状端縁を有し、またスリーブは、プレート２５１がアーム２２０に固定された後に、スリーブ２５２がアーム２２０と一体に変位及び回転の双方を可能にするよう形成されまた孔内に挿入される。
【００４４】
スリーブ２５２は、例えば、ねじ山２５２ａによって、及び好適には、摺動摩擦手段を介して垂直軸を有するギアモータ２６０の出力部材に連結するよう設計し、この出力部材は、可動フレーム１３０に対して垂直中心軸線の周りに支持アーム２２０の回転作動を可能にする。
【００４５】
ギアモータ２６１を動作させるとき、スリーブ２５２は、アーム２２０をフレーム１３０に対して垂直中心軸線Ｚ-Ｚの周りに回転させるよう回転作動するとともに、上述したすべての利点を維持する。摩擦手段がモータとスリーブ２５２を固定するための雌ねじ山付き素子との間に存在する場合、ピン２５２がプレート２５１に対して摩擦接触するのを可能にする。
【００４６】
この実施形態において、可動フレーム２３０は、ギアモータ２６０を固定するプレートの形態とする。好適には、プレート２３０は、さらに、外側端縁において、垂直軸線を有する貫通孔付きの直立部２３４及び／又は垂直方向に直交する軸線を有利孔又は中空スリーブを有する垂直フランジ２３５を有する。
【００４７】
ハウジング２１０及び支持アーム２２０の容器２４０内／外への引込み／引出しを行うため、容器２４０の中心垂直軸線Ｙ-Ｙに同軸状の可動フレーム２３０を垂直軸線Ｚ-Ｚに沿って双方向に変位作動させる手段１７０は、先の実施形態で説明した手段とほぼ同様である。
【００４８】
これら手段１７０は、フレーム２３０に配置してこのフレームと一体に変位可能にしたモータ１７１を有し、モータのシャフトは、垂直方向Ｚ-Ｚに対して直交するよう延在し、またフレーム２３０外部に突出するようフランジ２３５のスリーブ内に挿通させる。このシャフト１７１ａには、好適には、両者間に配置した摩擦手段を介してピニオンを固定する。ピニオン１７２は、垂直方向Ｚ-Ｚに平行に延在しかつ容器１４０の内面に固定したラックの歯に噛合する。好適には、案内バー１８２は、フレーム１３０の垂直方向変位を案内する素子を形成するよう直立部２３４の垂直孔２３４ａに挿通する。
【００４９】
この構成により、スポットライトの動作は第１実施形態で説明したのと同様となる。
【００５０】
図示しない実施形態の変更例によれば、第２実施形態による縦方向軸線の周りに回転作動させる傾斜モータを収納するハウジングを図１〜５に示すスポットライトの支持アームに連結することもでき、この場合、支持アームを回転作動させるモータはこのアーム内に収容する。
【００５１】
図１０〜１３につき説明すると、本発明によるスポットライトの好適な第３実施形態はハウジング１１０を備え、このハウジング１１０は、光源Ｌと、プレート１１３と、及び図１〜５に示す第１実施形態につき説明したのと同様に、支持アーム１２０に連結して縦方向軸線Ｓ-Ｓの周りに作動させるモータ１１２とを有する。
【００５２】
この実施形態は、天井（図示せず）に固定した経路又はトラック内で垂直方向Ｘ-Ｘに直交する方向に変位するよう設計したトラック付きアダプターの形態とした可動フレーム３３０に支持アーム１２０を連結した点で異なる。好適には、可動フレーム３３０は、通電トラックに接続するようスポットライトの給電及び制御作動を行うドライバを有する。ドライバ及び関連のトラックを有するこのようなアダプターの例は国際公開第９７／３４３５２号に記載されている。
【００５３】
図示の好適な実施形態によれば、支持アーム１２０の可動フレーム３３０に対する連結は、フレーム３３０の底部表面における対応垂直軸線を有する着座部３３１内で垂直方向Ｚ-Ｚに平行な軸線の周りにアーム１２０を作動させるモータのシャフト１６１ａを挿入し、またこのシャフト１６１ａをフレームに固定することによって実施し、この固定は、例えば、フレーム３３０に対して相互連結し、また内部でモータのシャフト１６１ａがキー連結される（図１３参照）着座部３３１を有する固定ブラケット３５１によって行う。
【００５４】
好適には、アーム１２０を垂直軸線周りに作動させるモータ１６１のシャフト１６１ａに同軸状に備え付ける中心孔付きの平坦素子の形態である印刷回路３９０をアーム１２０と可動フレーム３３０との間に挿入する。この印刷回路３９０は、フレーム３３０にロックされかつ内部でモータ１６１のシャフト１６１ａがキー連結されるブラケット３５１に固定した対応する回路３９０ａに接触する（図１１及び１３参照）。
【００５５】
給電／接続ワイヤを印刷回路３９０、３９０ａにはんだ付けし、また印刷回路はブラシとして作用する。有利にも、この手法は、支持アームが垂直軸線Ｚ-Ｚの周りに３６０°又はそれ以上に回転するときのもつれを生ずるリスクがある接続ワイヤの使用を回避する。
【００５６】
好適には、この実施形態において、さらに、摺動摩擦手段をモータのシャフト１６１ａとブラケット３５１との間に挿入する。
【００５７】
図１５及び１６につき説明すると、本発明によるスポットライトの好適な第４実施形態はハウジング２１０を備え、このハウジング２１０は、第２実施形態につき説明したのと同様に、縦方向軸線Ｓ-Ｓの周りに回転作動させる傾斜モータ２１２を有し、このハウジングは、垂直軸１６１ａを有するモータ１６１が第１及び第３実施形態のスポットライト（図１〜５及び図１０〜１３参照）につき上述したのと同様に挿入されている支持アーム１２０に連結される。
【００５８】
支持アーム１２０は、天井（図示せず）に固定した経路又はトラック内で垂直方向Ｘ-Ｘに直交する方向に変位するよう設計したトラック付きアダプターの形態とした可動フレーム４３０に連結する。好適には、可動フレーム４３０は、通電トラックに接続するようスポットライトの給電及び制御作動を行うドライバを有する。ドライバを有するこのようなアダプターの例は国際公開第９７／３４３５２号に記載されている。
【００５９】
図１５及び１６に示し、またこれにつき説明する好適な実施形態によれば、支持アーム１２０の可動フレーム４３０に対する連結は、上述したのと同様に実施し、例えば、フレーム４３０に対して相互連結し、また内部でモータのシャフト１６１ａと一体に回転するスリーブ４５２が、例えば、平坦素子４５１及び補完固定手段４５１ａによってアーム１２０に固定される着座部３３１を有する固定ブラケット３５１によって行う。好適には、この実施形態において、さらに、摺動摩擦手段４５３をスリーブ４５１とブラケット３５１との間に挿入する。
【００６０】
図示のように、すべての実施形態において、ハウジングは、支持アームとの連結が実施された後、支持アームを縦方向軸線Ｓ-Ｓの周りに回転作動させるよう連結する手段は、ハウジングの周方向壁によって視界から隠れる。
【００６１】
したがって、本発明によるスポットライトがどのようにしてスポットライトの垂直軸線Ｚ-Ｚに対するほぼ９０°の水平指向までの垂線に対する異なる角度で傾斜する光ビームの指向性を可能にするとともに、スポットライトが横方向／縦方向及び垂直方向の双方でコンパクトさを確実に維持することは明らかである。さらに、ビームは、天井備え付けの窪んだ容器のような小さいスペース内であっても、中心垂直軸線Ｚ-Ｚに平行な軸線周りに光ビームの３６０°にわたる回転が可能である。
【００６２】
さらに、移動システムの特別な形態は、スポットライト内に収容できるとともに、外側からは見えない状態を維持し、またアセンブリの美的外観を経済するものである。
【００６３】
摩擦ドライブは、スポットライトの高度の安全性を確保し、不適切な取扱い運動に起因する破損を受け難くする。さらに、無線受信デバイス及び遠隔制御デバイスによって遠隔から制御することも考えられ、このことは、光ビームを様々な角度位置に必要に応じて調整できるよう特に容易かつ便利に操縦するアセンブリにする。
【００６４】
本発明における多くの実施形態及び多くの実施例につき説明したが、本発明の保護範囲は特許請求の範囲によってのみ決定されると理解されたい。とくに、モータはギアモータとする、又はその逆とすることができると理解されたい。
【図１】
2021517728.tif 000003
【図２ａ】
2021517728.tif 000004
【図２ｂ】
2021517728.tif 000005
【図３】
2021517728.tif 000006
2021517728.tif 000007
【図４ａ】
2021517728.tif 000008
【図４ｂ】
2021517728.tif 000009
【図５】
2021517728.tif 000010
【図６−７】
2021517728.tif 000011
【図８】
2021517728.tif 000012
【図９】
2021517728.tif 000013
【図１０】
2021517728.tif 000014
【図１１】
2021517728.tif 000015
【図１２】
2021517728.tif 000016
【図１３】
2021517728.tif 000017
【図１４ａ】
2021517728.tif 000018
【図１４ｂ】
2021517728.tif 000019
【図１５】
2021517728.tif 000020
【図１６】
2021517728.tif 000021
【国際調査報告】
2021517728.tif 000022
2021517728.tif 000023
2021517728.tif 000024